(57)【要約】【課題】  装置の大型化やコストアップを招くことなく、カセットをスライドさせるための力を良好に軽減することのできるシート供給装置、及び、そのシート供給装置を備えた画像形成装置の提供。【解決手段】  給紙カセット６の下面には、その給紙カセット６を下方から支持する支持部材との対向部全領域に亘って、給紙カセット６のスライド方向に沿った突条６ａが形成されている。また、上記支持部材の上面には、給紙カセット６のスライド方向に直交する突条が多数形成されている。このため、支持部材６０と給紙カセット６とは、ほぼ点で接触することになり、給紙カセット６をスライドさせる際の摩擦抵抗は極めて良好に軽減される。従って、給紙カセット６を小さな力でスライドさせることができ、しかも、コロなどを設ける場合に比べて装置の大型化やコストアップを良好に回避することができる。【選択図】  図３
2005289571.tif 000002
【特許請求の範囲】
【請求項１】
シート状の被記録媒体を積層して収納するカセットと、
該カセットに収納された被記録媒体を、分離して搬送する搬送手段と、
上記カセットをスライド可能に下方から支持する支持部材と、
を備えたシート供給装置であって、
上記カセットは、下方に向く第１の面を有し、
上記支持部材は、上記第１の面を当接支持する第２の面を有し、
該第２の面には、上記第１の面と上記第２の面とが、平面同士で接触する場合に比べ、接触面積を低減させるための凸部が形成されたこと、
を特徴とするシート供給装置。
【請求項２】
上記凸部は、上記カセットのスライド方向に沿う、上記第２の面の全域に亘って形成されていることを特徴とする請求項１記載のシート供給装置。
【請求項３】
上記凸部は、上記第２の面と一体成形されていることを特徴とする請求項１または２記載のシート供給装置。
【請求項４】
上記凸部は、上記第１の面と同質の材料で形成されていることを特徴とする請求項１〜３のいずれかに記載のシート供給装置。
【請求項５】
上記第２の面は、上記凸部が形成された部分以外では、下方に傾斜していることを特徴とする請求項１〜４のいずれかに記載のシート供給装置。
【請求項６】
上記第２の面は、上記凸部が形成された部分以外では、装置本体の底面まで貫通する穴部を有することを特徴とする請求項１〜５のいずれかに記載のシート供給装置。
【請求項７】
上記第２の面には、複数の上記凸部が形成され、
上記第２の面が波状に湾曲することで、上記各凸部が形成されていることを特徴とする請求項１〜６のいずれかに記載のシート供給装置。
【請求項８】
上記第１の面及び上記第２の面の双方に、複数の凸部が形成され、
上記第１の面及び上記第２の面の双方が波状に湾曲することで上記各凸部が形成され、
上記第１の面における波の尾根と、上記第２の面における波の尾根とが、交差することを特徴とする請求項７記載のシート供給装置。
【請求項９】
上記第１の面における波の尾根と、上記第２の面における波の尾根とが、直交することを特徴とする請求項８記載のシート供給装置。
【請求項１０】
請求項１〜９のいずれかに記載のシート供給装置と、
上記シート供給装置により供給された被記録媒体に画像を形成する画像形成部と、
を備えたことを特徴とする画像形成装置。
【請求項１１】
上記画像形成部は、
レーザビームにより静電潜像が形成される感光体と、
上記静電潜像にトナーを供給してトナー像を形成する現像部と、
上記現像部によって形成されたトナー像を上記被記録媒体に転写する転写部と、
上記転写部によって転写されたトナー像を上記被記録媒体に定着させる定着部と、
を備えることを特徴とする請求項１０記載の画像形成装置。
【請求項１２】
シート状の被記録媒体を積層して収納するカセットと、
該カセットに収納された被記録媒体を、分離して搬送する搬送手段と、
上記カセットをスライド可能に下方から支持する支持部材と、
を備えたシート供給装置であって、
上記カセットは、下方に向く第１の面を有し、
上記支持部材は、上記第１の面を当接支持する第２の面を有し、
上記第１の面には、上記第１の面と上記第２の面とが、平面同士で接触する場合に比べ、接触面積を低減させるための凸部が形成されたこと、
を特徴とするシート供給装置。
【請求項１３】
上記凸部は、上記カセットのスライド方向に沿う、上記第１の面の全域に亘って形成されていることを特徴とする請求項１２記載のシート供給装置。
【請求項１４】
上記凸部は、上記第１の面と一体成形されていることを特徴とする請求項１２または１３記載のシート供給装置。
【請求項１５】
上記凸部は、上記第２の面と同質の材料で形成されていることを特徴とする請求項１２〜１４のいずれかに記載のシート供給装置。
【請求項１６】
上記第１の面には、複数の上記凸部が形成され、
上記第１の面が波状に湾曲することで、上記各凸部が形成されていることを特徴とする請求項１２〜１５のいずれかに記載のシート供給装置。
【請求項１７】
シート状の被記録媒体を積層して収納するカセットと、
該カセットに収納された被記録媒体を、分離して搬送する搬送手段と、
上記カセットをスライド可能に下方から支持する支持部材と、
を備えたシート供給装置であって、
上記カセットは、下方に向く第１の面を有し、
上記支持部材は、上記第１の面を当接支持する第２の面を有し、
上記第２の面には、装置本体の底面まで貫通する穴部が形成されたこと、
を特徴とするシート供給装置。
【請求項１８】
上記第２の面が、網状に構成され、その網目が、上記穴部を構成することを特徴とする請求項１７記載のシート供給装置。
【請求項１９】
シート状の被記録媒体を積層して収納するカセットと、
該カセットに収納された被記録媒体を、分離して搬送する搬送手段と、
上記カセットをスライド可能に下方から支持する支持部材と、
を備えたシート供給装置であって、
上記カセットと上記支持部材とが、点または線により接触するように構成されたことを特徴とするシート供給装置。
【発明の詳細な説明】
【技術分野】
【０００１】
本発明は、シート状の被記録媒体を積層して収納するカセットをスライド可能に支持し、そのカセットに収納された被記録媒体を分離して搬送するシート供給装置、及び、そのシート供給装置を備えた画像形成装置に関する。
【背景技術】
【０００２】
従来より、プリンタ等が備える画像形成部に記録紙等の被記録媒体を搬送する装置として、シート状の被記録媒体を積層して収納するカセットと、該カセットに収納された被記録媒体を、画像形成部に搬送する搬送手段と、上記カセットがスライド可能となるように、上記カセットを下方から支持する支持部材と、を備えたシート供給装置が考えられている。このように構成されたシート供給装置では、支持部材によって支持されたカセットはスライドさせて装置本体から引き出すことができる。そこで、カセットを引き出してその中に被記録媒体を積層して収納し、再びカセットを挿入して所定位置にセットすることにより、カセットに収納された被記録媒体を搬送手段によって画像形成部に搬送し、画像を形成することが可能となる。
【０００３】
また、この種の装置では、支持部材がカセットをスライド可能に支持する機構として、種々の機構が提案されている。例えば、カセットが下方に向く第１の面を有し、支持部材がその第１の面を当接支持する第２の面を有し、この第１面と第２面とを擦れさせながらカセットをスライドさせる機構（例えば、特許文献１参照）や、カセットをコロで支持し、コロの回転によりカセットをスライドさせる機構（例えば、特許文献２参照）が提案されている。
【特許文献１】特開２００２−１４５４５９号公報
【特許文献２】特開２００３−２８５９４２号公報
【発明の開示】
【発明が解決しようとする課題】
【０００４】
ところが、特許文献２のようにカセットをコロで支持する機構では、コロを設ける分、装置が大型化し、しかも部品点数の増加や組み付けの煩雑さから製造コストが高くなる。一方、特許文献１のように平面状の第１の面と平面状の第２の面とを擦れさせる場合、紙粉や埃、或いはトナー等が第２の面に堆積すると、カセットをスライドさせる際の摩擦抵抗が増加してしまう。特に、カセット側に分離パッドが、装置本体側に給紙ローラが、それぞれ設けられる場合、給紙ローラと分離パッドとの位置関係を規定するため、カセットを所定位置まで挿入したときにロック機構が作動するようになっている。このため、カセットをスライドさせるのには元来ある程度の力が必要とされ、上記紙粉等の影響で摩擦抵抗が増加すると、カセットをスライドさせるのには更に大きな力が必要となる。
【０００５】
そこで、本発明は、装置の大型化やコストアップを招くことなく、カセットをスライドさせるための力を良好に軽減することのできるシート供給装置、及び、そのシート供給装置を備えた画像形成装置の提供を目的としてなされた。
【課題を解決するための手段】
【０００６】
上記目的を達するためになされた本発明のシート供給装置は、シート状の被記録媒体を積層して収納するカセットと、該カセットに収納された被記録媒体を、分離して搬送する搬送手段と、上記カセットをスライド可能に下方から支持する支持部材と、を備えたシート供給装置であって、上記カセットは、下方に向く第１の面を有し、上記支持部材は、上記第１の面を当接支持する第２の面を有し、該第２の面には、上記第１の面と上記第２の面とが、平面同士で接触する場合に比べ、接触面積を低減させるための凸部が形成されたこと、を特徴とする。
【０００７】
このように、本発明のシート供給装置は、第１の面と第２の面とを擦れさせることによりカセットをスライドさせているので、コロなどを設ける場合に比べて装置の大型化やコストアップを良好に回避することができる。また、本発明では、第２の面に凸部を形成したことにより、第１の面と第２の面とが平面同士で接触する場合に比べ、接触面積を低減させて摩擦抵抗を軽減することができる。このため、第２の面に紙粉等が堆積しても、小さな力でカセットをスライドさせることができる。
【０００８】
なお、上記凸部の形態としては種々の形態が考えられるが、上記凸部が、上記カセットのスライド方向に沿って上記第２の面の全域に亘って形成されている場合、カセットのスライド時に終始均等に摩擦抵抗を軽減することができる。また、上記凸部が、上記第２の面と一体成形されている場合、凸部を別体に取り付ける場合に比べ、製造工程を簡略化して製造コストを低減することができる。
【０００９】
更に上記凸部が、上記第１の面と同質の材料で形成されている場合、凸部とそれに接触する部分とが同一材料からなるので、強度の強い方の部材により強度の弱い方の部材が削られるといったことを防止することができる。従って、この場合、耐久性を一層向上させることができる。また、強度の弱い方の部材が削られて生じる削り屑が第２の面に堆積することがない。
【００１０】
上記凸部が形成された部分以外における上記第２の面の形態としても種々の形態が考えられるが、上記第２の面が上記凸部が形成された部分以外では、下方に傾斜している場合、凸部以外に落ちた紙粉や埃が傾斜面に沿って下方に移動する。このため、紙粉や埃を一の場所に集めることができ、上記第２の面の清掃も容易になる。
【００１１】
また、上記第２の面が上記凸部が形成された部分以外では、装置本体の底面まで貫通する穴部を有する場合、凸部以外に落ちた紙粉や埃が穴部を通じて装置本体の外に落下する。このため、上記第２の面を清掃する手間もなくなる。
【００１２】
更に、上記第２の面には、複数の上記凸部が形成され、上記第２の面が波状に湾曲することで、上記各凸部が形成されてもよい。この場合、凸部を単に突起で構成する場合に比べて強度を向上させることができ、延いては、装置の耐久性を一層向上させることができる。
【００１３】
また、上記第１の面及び上記第２の面の双方に、複数の凸部が形成されていてもよい。そして、更に、上記第１の面及び上記第２の面の双方が波状に湾曲することで上記各凸部が形成され、上記第１の面における波の尾根と、上記第２の面における波の尾根とが、交差する場合、次のような更なる効果が生じる。すなわち、この場合、第１の面における波の尾根と第２の面における波の尾根とが、尾根の交点で点接触する。このため、摩擦抵抗を一層良好に軽減して、一層小さな力でカセットをスライドさせることが可能となる。
【００１４】
また、このように、上記第１の面における波の尾根と、上記第２の面における波の尾根とが、交差する場合において、両者が直交すると、摩擦抵抗をより一層軽減することができる。従って、この場合、より一層小さな力でカセットをスライドさせることが可能となる。
【００１５】
本発明の画像形成装置は、上記のいずれかに記載のシート供給装置と、上記シート供給装置により供給された被記録媒体に画像を形成する画像形成部と、を備えたことを特徴とする。このように構成された画像形成装置では、前述のようにシート供給装置の大型化やコストアップを招くことなく、カセットをスライドさせるための力を良好に軽減することができる。このため、本発明の画像形成装置も全体として小型化やコストダウンが容易で、被記録媒体の補充等のためにカセットをスライドさせるときにも大きな力を必要としない。
【００１６】
なお、画像形成部の形態としては種々の形態が考えられるが、上記画像形成部が、レーザビームにより静電潜像が形成される感光体と、上記静電潜像にトナーを供給してトナー像を形成する現像部と、上記現像部によって形成されたトナー像を上記被記録媒体に転写する転写部と、上記転写部によって転写されたトナー像を上記被記録媒体に定着させる定着部と、を備える場合、次のような更なる効果が生じる。
【００１７】
すなわち、このようないわゆる電子写真方式の画像形成装置では、紙粉や埃のみならず、トナーも上記第２の面に付着する可能性がある。しかしながら、前述のように本発明では、第２の面にトナーが付着しても、凸部により摩擦抵抗を軽減されるため、小さな力でカセットをスライドさせることができる。すなわち、摩擦抵抗を軽減することにより小さな力でカセットをスライドさせられるといった本発明の効果が、一層顕著に表れる。
【００１８】
また、本発明のシート供給装置は、シート状の被記録媒体を積層して収納するカセットと、該カセットに収納された被記録媒体を、分離して搬送する搬送手段と、上記カセットをスライド可能に下方から支持する支持部材と、を備えたシート供給装置であって、上記カセットは、下方に向く第１の面を有し、上記支持部材は、上記第１の面を当接支持する第２の面を有し、上記第１の面には、上記第１の面と上記第２の面とが、平面同士で接触する場合に比べ、接触面積を低減させるための凸部が形成されたこと、を特徴とするものであってもよい。
【００１９】
この場合も、本発明のシート供給装置は、第１の面と第２の面とを擦れさせることによりカセットをスライドさせているので、コロなどを設ける場合に比べて装置の大型化やコストアップを良好に回避することができる。また、この場合も、第１の面に凸部を形成したことにより、第１の面と第２の面とが平面同士で接触する場合に比べ、接触面積を低減させて摩擦抵抗を軽減することができる。このため、紙粉等が堆積しても、小さな力でカセットをスライドさせることができる。
【００２０】
この場合も、上記凸部の形態としては種々の形態が考えられるが、上記凸部が、上記カセットのスライド方向に沿って上記第１の面の全域に亘って形成されている場合、カセットのスライド時に終始均等に摩擦抵抗を軽減することができる。また、上記凸部が、上記第１の面と一体成形されている場合、凸部を別体に取り付ける場合に比べ、製造工程を簡略化して製造コストを低減することができる。
【００２１】
更に上記凸部が、上記第２の面と同質の材料で形成されている場合、凸部とそれに接触する部分とが同一材料からなるので、強度の強い方の部材により強度の弱い方の部材が削られるといったことを防止することができる。従って、この場合、耐久性を一層向上させることができる。また、強度の弱い方の部材が削られて生じる削り屑が生じないため、そのような削り屑がカセットスライド時の摩擦抵抗の原因となることもない。
【００２２】
上記第１の面の形態としても種々の形態が考えられるが、上記第１の面には、複数の上記凸部が形成され、上記第１の面が波状に湾曲することで、上記各凸部が形成されてもよい。この場合、凸部を単に突起で構成する場合に比べて強度を向上させることができ、延いては、装置の耐久性を一層向上させることができる。
【００２３】
また更に、本発明のシート供給装置は、シート状の被記録媒体を積層して収納するカセットと、該カセットに収納された被記録媒体を、分離して搬送する搬送手段と、上記カセットをスライド可能に下方から支持する支持部材と、を備えたシート供給装置であって、上記カセットは、下方に向く第１の面を有し、上記支持部材は、上記第１の面を当接支持する第２の面を有し、上記第２の面には、装置本体の底面まで貫通する穴部が形成されたこと、を特徴とするものであってもよい。
【００２４】
この場合も、本発明のシート供給装置は、第１の面と第２の面とを擦れさせることによりカセットをスライドさせているので、コロなどを設ける場合に比べて装置の大型化やコストアップを良好に回避することができる。また、第２の面には装置本体の底面まで貫通する穴部が形成されているので、第１の面と第２の面とが面全体で接触する場合に比べ、接触面積を低減させて摩擦抵抗を軽減することができる。このため、紙粉等が堆積しても、小さな力でカセットをスライドさせることができる。しかも、穴部に落ちた紙粉や埃は装置本体の外に落下するので、カセットを小さな力でスライドさせられる状態を一層良好に維持することができ、上記第２の面を清掃をする手間もなくなる。
【００２５】
なお、穴部の形態や第２の面の形態としては種々の形態が考えられるが、上記第２の面が、網状に構成され、その網目が、上記穴部を構成する場合、次のような更なる効果が生じる。すなわち、この場合、穴部が形成されるスペースを大きく取ることが可能で、摩擦抵抗が一層軽減され、一層小さな力でカセットをスライドさせることができる。
【００２６】
また更に、本発明のシート供給装置は、シート状の被記録媒体を積層して収納するカセットと、該カセットに収納された被記録媒体を、分離して搬送する搬送手段と、上記カセットをスライド可能に下方から支持する支持部材と、を備えたシート供給装置であって、上記カセットと上記支持部材とが、点または線により接触するように構成されたことを特徴とするものであってもよい。
【００２７】
この場合も、本発明のシート供給装置は、支持部材が下方から接触してカセットを支持しているので、コロなどを設ける場合に比べて装置の大型化やコストアップを良好に回避することができる。また、カセットと支持部材とが点または線により接触するので、両者が平面同士で接触する場合に比べて摩擦抵抗を軽減することができる。このため、紙粉等が堆積しても、小さな力でカセットをスライドさせることができる。
【発明を実施するための最良の形態】
【００２８】
次に、本発明の実施の形態を、図面と共に説明する。図１は、本発明が適用された画像形成装置としてのレーザプリンタの構成を示す側断面図である。図１に示す如く、本実施の形態のレーザプリンタ１は、筐体２内に、被記録媒体としての用紙３を給紙するためのフィーダ部４や、給紙された用紙３に所定の画像を形成するための記録部５などを備えている。
【００２９】
フィーダ部４は、筐体２内の底部に、着脱可能に装着される給紙カセット６と、給紙カセット６内に設けられた用紙押圧板７と、給紙カセット６の一端側端部の上方に設けられる給紙ローラ８及び給紙パット９と、給紙ローラ８に対し用紙３の搬送方向の下流側に設けられる紙紛取りローラ１０及び１１と、紙紛取りローラ１０及び１１に対し用紙３の搬送方向の下流側に設けられるレジストローラ１２とを備えている。
【００３０】
給紙カセット６は、後に詳述するように、支持部材６０により、その下方からスライド可能に支持されている。用紙押圧板７は、用紙３を積層状にスタック可能とされ、給紙ローラ８に対して遠い方の端部において揺動可能に支持されることによって、近い方の端部が上下方向に移動可能とされており、また、その裏側から図示しないバネによって上方向に付勢されている。このため、用紙押圧板７は、用紙３の積層量が増えるに従って、給紙ローラ８に対して遠い方の端部を支点として、バネの付勢力に抗して下向きに揺動される。給紙ローラ８及び給紙パット９は、互いに対向状に配設され、給紙パット９の裏側に配設されるバネ１３によって、給紙パット９が給紙ローラ８に向かって押圧されている。用紙押圧板７上の最上位にある用紙３は、用紙押圧板７の裏側から上記バネによって給紙ローラ８に向かって押圧され、その給紙ローラ８の回転によって給紙ローラ８と給紙パット９とで挟まれた後、１枚ずつ給紙される。
【００３１】
給紙された用紙３は、紙紛取りローラ１０及び１１によって、ある程度紙紛が取り除かれた後、レジストローラ１２に送られる。レジストローラ１２は、１対のローラから構成されており、用紙３を所定のレジスト後に、記録部５に送るようにしている。
【００３２】
なお、このフィーダ部４は、更に、マルチパーパストレイ１４と、マルチパーパストレイ１４上に積層される用紙３を給紙するためのマルチパーパス側給紙ローラ１５及びマルチパーパス側給紙パット２５とを備えており、マルチパーパス側給紙ローラ１５及びマルチパーパス側給紙パット２５は、互いに対向状に配設され、マルチパーパス側給紙パット２５の裏側に配設されるバネ２５ａによって、マルチパーパス側給紙パット２５がマルチパーパス側給紙ローラ１５に向かって押圧されている。マルチパーパストレイ１４上に積層される用紙３は、マルチパーパス側給紙ローラ１５の回転によってマルチパーパス側給紙ローラ１５とマルチパーパス側給紙パット２５とで挟まれた後、１枚ずつ給紙される。
【００３３】
記録部５は、スキャナユニット１６、画像形成部としてのプロセスユニット１７、定着部１８などを備えている。スキャナユニット１６は、筐体２内の上部に設けられ、発光素子としてのレーザダイオード（図示省略）、回転駆動されるポリゴンミラー１９、レンズ２０，２１、反射鏡２２，２３，２４などを備えており、レーザダイオードが出力する所定の画像データに基づくレーザ光を、鎖線で示すように、ポリゴンミラー１９、ｆθレンズ２０、反射鏡２２及び２３、シリンダーレンズ２１、反射鏡２４の順に通過あるいは反射させて、後述するプロセスユニット１７の感光ドラム２７の表面上に高速走査にて照射させている。
【００３４】
プロセスユニット１７は、スキャナユニット１６の下方に配設され、筐体２に対して着脱自在に装着されるドラムカートリッジ２６内に、感光体としての感光ドラム２７、現像カートリッジ２８、スコロトロン型帯電器２９、転写ローラ３０、及び、クリーニングブラシ５１などを備えている。
【００３５】
現像カートリッジ２８は、ドラムカートリッジ２６に対して着脱自在に装着されており、現像ローラ３１、層厚規制ブレード３２、供給ローラ３３及びトナーボックス３４などを備えている。
【００３６】
トナーボックス３４内には、現像剤として、正帯電性の非磁性１成分のトナーが充填されている。このトナーとしては、重合性単量体、たとえば、スチレンなどのスチレン系単量体や、アクリル酸、アルキル（Ｃ１〜Ｃ４）アクリレート、アルキル（Ｃ１〜Ｃ４）メタアクリレートなどのアクリル系単量体を、懸濁重合などの公知の重合方法によって共重合させることにより得られる重合トナーが使用されている。このような重合トナーは、球状をなし、流動性が極めて良好である。なお、このようなトナーには、カーボンブラックなどの着色剤やワックスなどが配合されると共に、流動性を向上させるために、シリカなどの外添剤が添加されている。その粒子径は、約６〜１０μｍ程度である。
【００３７】
そして、トナーボックス３４内のトナーは、トナーボックス３４の中心に設けられる回転軸３５に支持されるアジテータ３６により攪拌されて、トナー供給口３７から放出される。なお、トナーボックス３４の側壁には、トナーの残量検知用の窓３８が設けられており、回転軸３５に支持されたクリーナ３９によって清掃される。
【００３８】
トナー供給口３７の側方位置には、供給ローラ３３が回転可能に配設されており、また、この供給ローラ３３に対向して、現像ローラ３１が回転可能に配設されている。そして、これら供給ローラ３３と現像ローラ３１とは、そのそれぞれがある程度圧縮するような状態で互いに当接されている。
【００３９】
供給ローラ３３は、金属製のローラ軸に、導電性の発泡材料からなるローラが被覆されている。また、現像ローラ３１は、金属製のローラ軸に、導電性のゴム材料からなるローラが被覆されている。より具体的には、現像ローラ３１のローラ部分は、カーボン微粒子などを含む導電性のウレタンゴムまたはシリコーンゴムからなるローラ本体の表面に、フッ素が含有されているウレタンゴムまたはシリコーンゴムのコート層が被覆されている。なお、現像ローラ３１には、感光ドラム２７に対して、所定の現像バイアスが印加されている。
【００４０】
また、現像ローラ３１の近傍には、層厚規制ブレード３２が配設されている。この層厚規制ブレード３２は、金属の板バネ材からなるブレード本体の先端部に、絶縁性のシリコーンゴムからなる断面半円形状の押圧部４０を備えており、現像ローラ３１の近くにおいて現像カートリッジ２８に支持されて、押圧部４０がブレード本体の弾性力によって現像ローラ３１上に圧接されるように構成されている。
【００４１】
そして、トナー供給口３７から放出されるトナーは、供給ローラ３３の回転により、現像ローラ３１に供給され、この時、供給ローラ３３と現像ローラ３１との間で正に摩擦帯電され、更に、現像ローラ３１上に供給されたトナーは、現像ローラ３１の回転に伴って、層厚規制ブレード３２の押圧部４０と現像ローラ３１との間に進入し、ここで更に充分に摩擦帯電されて、一定厚さの薄層として現像ローラ３１上に担持される。
【００４２】
感光ドラム２７は、現像ローラ３１の側方位置において、その現像ローラ３１と対向するような状態で回転可能に配設されている。この感光ドラム２７は、ドラム本体が接地されると共に、その表面部分がポリカーボネートなどから構成される正帯電性の感光層により形成されている。
【００４３】
スコロトロン型帯電器２９は、感光ドラム２７の上方に、感光ドラム２７に接触しないように、所定の間隔を隔てて配設されている。このスコロトロン型帯電器２９は、タングステンなどの帯電用ワイヤからコロナ放電を発生させる正帯電用のスコロトロン型の帯電器であり、感光ドラム２７の表面を一様に正極性に帯電させるように構成されている。
【００４４】
そして、感光ドラム２７の表面は、スコロトロン型帯電器２９により一様に正帯電された後、スキャナユニット１６からのレーザ光の高速走査により露光され、所定の画像データに基づく静電潜像が形成される。次いで、現像ローラ３１の回転により、現像ローラ３１上に担持されかつ正帯電されているトナーが、感光ドラム２７に対向して接触する時に、感光ドラム２７の表面上に形成される静電潜像、すなわち、一様に正帯電されている感光ドラム２７の表面の内、レーザ光によって露光され電位が下がっている露光部分に供給され、選択的に担持されることによって可視像化され、これによって反転現像が達成される。
【００４５】
転写ローラ３０は、感光ドラム２７の下方において、この感光ドラム２７に対向するように配置され、ドラムカートリッジ２６に回転可能に支持されている。この転写ローラ３０は、金属製のローラ軸５２に、過塩素酸リチウムなどのイオン性物質が添加されている弾性体からなるローラが被覆されている、イオン導電タイプの転写ローラが用いられており、２２℃、５０％ＲＨにおける抵抗値が、約１０７〜１０８．５Ωとされている。転写ローラ３０によれば、感光ドラム２７に形成される静電潜像を用紙３に転写しつつ、用紙３を良好に搬送することができる。
【００４６】
そして、この転写ローラ３０には、転写時に、図示しない転写バイアス印加回路によって感光ドラム２７に対して所定の転写バイアスが印加されるように構成されている。このため、感光ドラム２７の表面上に担持された可視像は、転写ローラ３０と対向して、用紙３が感光ドラム２７と転写ローラ３０との間を通る間に、その用紙３に転写される。すなわち、プロセスユニット１７では、感光体としての感光ドラム２７に形成された静電潜像に対応する画像を、用紙３に電子写真方式で形成することができる。
【００４７】
クリーニングブラシ５１は、導電性の繊維が回転軸から放射状に植設されてなり、感光ドラム２７の回転方向における転写ローラ３０の下流側であって、かつ、スコロトロン型帯電器２９の上流側において、感光ドラム２７の表面に接触するように設けられている。このクリーニングブラシ５１によって、転写後に感光ドラム２７の表面に付着する紙粉が除去される。
【００４８】
定着部１８は、図１に示すように、プロセスユニット１７の側方下流側に配設され、加熱ローラ４１、加熱ローラ４１を押圧する押圧ローラ４２、及び、これら加熱ローラ４１及び押圧ローラ４２の下流側に設けられる１対の搬送ローラ４３を備えている。加熱ローラ４１は、金属製で加熱のためのハロゲンランプを備えており、プロセスユニット１７において用紙３上に転写されたトナーを、用紙３が加熱ローラ４１と押圧ローラ４２との間を通過する間に熱定着させ、その後、その用紙３を搬送ローラ４３によって、排紙パス４４に搬送するようにしている。排紙パス４４に送られた用紙３は、排紙ローラ４５に送られて、その排紙ローラ４５によって排紙トレイ４６上に排紙される。
【００４９】
スキャナユニット１６、プロセスユニット１７、定着部１８などを収納する筐体２は、筐体本体２ａとその筐体本体２ａに対して開閉可能なカバー２ｂとから構成されている。このカバー２ｂを閉じることによって、スキャナユニット１６のレーザダイオードから出力されたレーザ光の光路への筐体２外部からの侵入を、遮断することができる。
【００５０】
また、このレーザプリンタ１には、用紙３の両面に画像を形成するために、反転搬送部４７が設けられている。この反転搬送部４７は、排紙ローラ４５と、反転搬送パス４８と、フラッパ４９と、複数の反転搬送ローラ５０とを備えている。
【００５１】
排紙ローラ４５は、１対のローラからなり、正回転及び逆回転の切り換えができるように構成されている。この排紙ローラ４５は、上記したように、排紙トレイ４６上に用紙３を排紙する場合には、正方向に回転するが、用紙３を反転させる場合には、逆方向に回転する。
【００５２】
反転搬送パス４８は、排紙ローラ４５から記録部５の下方に配設される複数の反転搬送ローラ５０まで用紙３を搬送することができるように、上下方向に沿って設けられており、その上流側端部が、排紙ローラ４５の近くに配置されると共に、その下流側端部が、反転搬送ローラ５０の近くに配置されている。
【００５３】
フラッパ４９は、排紙パス４４と反転搬送パス４８との分岐部分に臨むように、揺動可能に設けられており、図示しないソレノイドの励磁または非励磁により、排紙ローラ４５によって反転された用紙３の搬送方向を、排紙パス４４に向かう方向から、反転搬送パス４８に向かう方向に切り換えることができるように構成されている。
【００５４】
反転搬送ローラ５０は、給紙カセット６の上方において、略水平方向に複数設けられており、最も上流側の反転搬送ローラ５０が、反転搬送パス４８の後端部の近くに配置されると共に、最も下流側の反転搬送ローラ５０が、レジストローラ１２の下方に配置されるように設けられている。
【００５５】
そして、用紙３の両面に画像を形成する場合には、この反転搬送部４７が、次のように動作される。すなわち、一方の面に画像が形成された用紙３が搬送ローラ４３によって排紙パス４４から排紙ローラ４５に送られてくると、排紙ローラ４５は、用紙３を挟んだ状態で正回転して、この用紙３を一旦外側（排紙トレイ４６側）に向けて搬送し、用紙３の大部分が外側に送られ、用紙３の後端が排紙ローラ４５に挟まれた時に、正回転を停止する。次いで、排紙ローラ４５は、逆回転すると共に、フラッパ４９が、用紙３が反転搬送パス４８に搬送されるように、搬送方向を切り換えて、用紙３を前後逆向きの状態で反転搬送パス４８に搬送するようにする。なお、フラッパ４９は、用紙３の搬送が終了すると、元の状態、すなわち、搬送ローラ４３から送られる用紙３を排紙ローラ４５に送る状態に切り換えられる。次いで、反転搬送パス４８に逆向きに搬送された用紙３は、反転搬送ローラ５０に搬送され、この反転搬送ローラ５０から、上方向に反転されて、レジストローラ１２に送られる。レジストローラ１２に搬送された用紙３は、裏返しの状態で、再び、所定のレジスト後に、記録部５に向けて送られ、これによって、用紙３の両面に所定の画像が形成される。
【００５６】
また、このレーザプリンタ１では、転写ローラ３０によって用紙３に転写された後に感光ドラム２７の表面上に残存するトナーを、現像ローラ３１によって回収する、いわゆるクリーナレス方式によって残存トナーを回収するようにしている。このようなクリーナレス方式によって感光ドラム２７上に残存するトナーを回収すれば、ブレードなどのクリーナ装置や廃トナーの貯留手段を設ける必要がないため、装置構成の簡略化、小型化及びコストの低減化を図ることができる。
【００５７】
なお、前述した給紙カセット６と用紙押圧板７と給紙ローラ８と給紙パット９と紙粉取りローラ１０とバネ１３と次に述べる支持部材６０とにより、本実施の形態のシート供給装置が構成されている。
【００５８】
図２は、給紙カセット６及び支持部材６０の構成を模式的に表す斜視図である。図２に示すように、筐体本体２ａの左右側面を構成するサイドフレーム２ａＬ，２ａＲの下端には、給紙カセット６をスライド可能に下方から支持する支持部材６０が、前後左右に合計４個取り付けられている。そして、給紙カセット６の下面と支持部材６０の上面とは、それぞれ次のように構成されている。
【００５９】
図３は、給紙カセット６の構成を表す下面図であり、図４は、支持部材６０の構成を表す斜視図である。図３に示すように、給紙カセット６の下面には、支持部材６０との対向部全領域に亘って、給紙カセット６のスライド方向に沿った突条６ａが形成されている。また、この突条６ａは、給紙カセット６の左右下面にそれぞれ２本ずつ形成され、給紙カセット６の他の部分と一体成形されている。
【００６０】
一方、支持部材６０の上面には、図４に示すように、給紙カセット６のスライド方向に直交する突条６１が多数（図４では４個示したがこれに限られない）形成されている。この突条６１も支持部材６０と一体成形されており、かつ、突条６ａと同質の材料で構成されている。
【００６１】
図５は、支持部材６０で給紙カセット６を支持した状態を、図３のＡ−Ａ線に対応する断面で示した図である。図５に示すように、支持部材６０と給紙カセット６とは、上記のように互いに直交する突条６ａ，６１が接触することにより、点で接触している。このため、給紙カセット６をスライドさせる際の摩擦抵抗は極めて良好に軽減される。従って、給紙カセット６を小さな力でスライドさせることができる。また、本実施の形態では、突条６ａ，６１を擦れさせることにより給紙カセット６をスライドさせているので、コロなどを設ける場合に比べて装置の大型化やコストアップを良好に回避することができる。
【００６２】
更に、突条６ａは給紙カセット６の下面に、支持部材６０との対向部全領域に亘って、給紙カセット６のスライド方向に沿って形成されているので、給紙カセット６のスライド時に終始均等に摩擦抵抗を軽減することができる。しかも、突条６ａ，６１はそれぞれ給紙カセット６，支持部材６０と一体成形されているので、それらを別体に取り付ける場合に比べ、製造工程を簡略化して製造コストを一層低減することができる。更に突条６ａ，６１は同質の材料で形成されているので、強度の強い方の部材により強度の弱い方の部材が削られるといったことを防止することができ、延いては、装置の耐久性を一層向上させることができる。
【００６３】
なお、本発明は上記実施の形態に何等限定されるものではなく、本発明の要旨を逸脱しない範囲で種々の形態で実施することができる。例えば、支持部材の構成は上記の他にも種々考えることができる。
【００６４】
例えば、図４に示す支持部材６０では、隣接する突条６１，６１の間を平面状に構成しているが、図６に示すように、幅方向（支持部材６０の突出方向）中央に向かって傾斜する斜面６２を形成してもよい。この場合、突条６１，６１の間に落ちた紙粉や埃は傾斜面６２に沿って下方に移動する。従って、この場合、給紙カセット６を小さな力でスライドさせられる状態を一層良好に維持することができ、しかも、紙粉や埃が幅方向の中心に集められるため傾斜面６２の清掃も容易になる。
【００６５】
図７（Ａ）に斜視図を、図７（Ｂ）に上面図を示す支持部材７０は、支持部材６０と同様の突条７１を有しているが、その突条７１以外の部分には下方へ貫通する穴部７２が形成されている。この場合、突条７１以外に落ちた紙粉や埃が穴部７２を通じて装置本体の外に落下するので、給紙カセット６を小さな力でスライドさせられる状態を一層良好に維持することができ、支持部材７０を清掃する手間もなくなる。
【００６６】
また、図８（Ａ）に斜視図を、図８（Ｂ）に上面図を示す支持部材８０のように、給紙カセット６を支持する面８１を格子型の網状に構成し、その網目を穴部８２としてもよい。この場合も、面８１と給紙カセット６との接触面積は小さくなり、両者の間に作用する摩擦抵抗も軽減されるので、上記各実施の形態と同様に給紙カセット６を小さな力でスライドさせることができる。しかも、面８１に落ちた紙粉や埃が穴部８２を通じて装置本体の外に落下するので、給紙カセット６を小さな力でスライドさせられる状態を一層良好に維持することができ、支持部材８０を清掃する手間もなくなる。
【００６７】
更に、図９（Ａ）に斜視図を、図９（Ｂ）に右側面図を示す支持部材９０のように、給紙カセット６を支持する面９１を格子型の網状に構成し、その網目を下方に貫通する穴部とするのではなく、前後方向中央に向かって傾斜する傾斜面９２としてもよい。この場合、網目に落ちた紙粉や埃は傾斜面９２に沿って下方に移動する。従って、この場合も、給紙カセット６を小さな力でスライドさせられる状態を一層良好に維持することができ、しかも、紙粉や埃がスライド方向の中心に集められるため傾斜面９２の清掃も容易になる。
【００６８】
支持部材の構成は、この他にも種々考えられ、図１０（Ａ）に示す支持部材１００のように、給紙カセット６を支持する面１０１を波状に湾曲させてもよく、図１０（Ｂ）に示す支持部材１１０のように、給紙カセット６を支持する面１１１は略平面状に構成し、そこに下方へ貫通する穴部１１２を形成してもよく、図１０（Ｃ）に示す支持部材１２０のように、給紙カセット６を支持する面１２１に多数のイボ状の突起１２２を形成してもよい。いずれの場合も、給紙カセット６をスライドさせる際の摩擦抵抗を軽減することができる。
【００６９】
特に、図１０（Ａ）に示すように面１０１を波状に湾曲させる場合、強度を一層向上させることができる。また、給紙カセット６の突条６ａも、給紙カセット６の下面を波状に湾曲させることによって構成し、両者の波の尾根同士を直交させれば、摩擦抵抗を良好に軽減しつつ強度を一層向上させることができる。
【００７０】
更に、支持部材を上記のように構成した場合、給紙カセット６の下面は平面状であってもよい。逆に、支持部材の給紙カセット６を支持する面を平面状に形成し、前述のように給紙カセット６の下面にのみ上記突条６ａを形成することもできる。更に、給紙カセット６の支持部材との対向部を、支持部材６０，７０，８０，９０，１００，１１０，１２０の給紙カセット６との対向面と同様に構成した場合、支持部材の給紙カセット６との対向面は平面状に形成することもできる。また、支持部材を給紙カセット６のスライド方向に長尺に形成すると共に、給紙カセット６との対向面に突条６ａと同様の突条を形成し、給紙カセット６の支持部材との対向部は平面状、若しくは、支持部材６０，７０，８０，９０，１００，１１０，１２０の給紙カセット６との対向面と同様に構成してもよい。
【００７１】
更に、本発明は、インクジェットプリンタ，感熱紙式ファクシミリ装置等、各種画像形成装置に適用することができる。但し、上記実施の形態のような電子写真方式の画像形成装置では、支持部材上には紙粉や埃のみならず、トナーも付着する可能性がある。このため、摩擦抵抗を軽減することにより小さな力で給紙カセット６をスライドさせられるといった前述の効果が、一層顕著に表れる。
【００７２】
また、本発明は、画像形成装置からシート供給装置が完全に分離した構成にも適用可能である。すなわち、シート供給装置のみが独立で存在し、それとは別体で構成されている画像形成部を有する装置に、シートを供給するような構成であってもよい。
【００７３】
なお、上記実施の形態において、給紙カセット６がカセットに、用紙３が被記録媒体に、給紙カセット６の支持部材６０，７０，８０，９０，１００，１１０，１２０との対向部が第１の面に、支持部材６０，７０，８０，９０，１００，１１０，１２０の給紙カセット６との対向面が第２の面に、突条６ａ，６１，７１、面１０１における波の尾根を頂点とする隆起部分、及び突起１２２が凸部に、給紙ローラ８が搬送手段に、感光ドラム２７が感光体に、現像ローラ３１が現像部に、感光ドラム２７と転写ローラ３０とのニップ部が転写部に、それぞれ相当する。
【図面の簡単な説明】
【００７４】
【図１】本発明を適用したレーザプリンタの全体構成を表す縦断面図である。
【図２】そのレーザプリンタの支持部材の配置を表す説明図である。
【図３】そのレーザプリンタの給紙カセットの構成を表す下面図である。
【図４】上記支持部材の構成を詳細に表す斜視図である。
【図５】その支持部材で上記給紙カセットを支持した状態を表す断面図である。
【図６】支持部材の変形例を表す斜視図である。
【図７】支持部材の他の変形例を表す斜視図及び上面図である。
【図８】支持部材の更に他の変形例を表す斜視図及び上面図である。
【図９】支持部材の更に他の変形例を表す斜視図及び右側面図である。
【図１０】支持部材の更に他の変形例を表す斜視図である。
【符号の説明】
【００７５】
３…用紙                      ６…給紙カセット        ６ａ，６１，７１…突条
５…記録部                    ７…用紙押圧板          ８…給紙ローラ
９…給紙パット                １３…バネ              １６…スキャナユニット
１７…プロセスユニット        １８…定着部            ２７…感光ドラム
３０…転写ローラ              ３１…現像ローラ        ４１…加熱ローラ
４２…押圧ローラ      ６０，７０，８０，９０，１００，１１０，１２０…支持部材
７２，８２，１１２…穴部      ６２，９２…傾斜面      １２２…突起
【図１】
2005289571.tif 000003
【図２】
2005289571.tif 000004
【図３】
2005289571.tif 000005
【図４】
2005289571.tif 000006
【図５】
2005289571.tif 000007
【図６】
2005289571.tif 000008
【図７】
2005289571.tif 000009
【図８】
2005289571.tif 000010
【図９】
2005289571.tif 000011
【図１０】
2005289571.tif 000012